(57)【特許請求の範囲】
【請求項１】
接続壁と、
取り付け装置であって、該取り付け装置及び前記接続壁は、ロック状態及びロック解除状態のうちの一方になるように互いに対して動かすことができる、取り付け装置と、
を含むブラケット機構であって、
前記取り付け装置は、ポストに取り付けられるように構成された少なくとも１つの取り付け部材を含み、
前記取り付け装置及び前記接続壁がロック状態にある場合、前記少なくとも１つの取り付け部材は前記接続壁に隣接して、互いに対して閉じられるようになっており、
前記取り付け装置及び前記接続壁がロック解除状態にある場合、前記少なくとも1つの取り付け部材は前記接続壁から離れて、互いに対して開けられるようになっており、
前記接続壁は長手方向長さを有し、
前記ブラケット機構は枢動軸をさらに含み、該枢動軸は、前記長手方向長さの方向と実質的に同じ方向に配置され、
前記接続壁及び前記取り付け装置は、前記枢動軸を介して互いに対して枢結される、ブラケット機構。
【請求項２】
前記取り付け装置は端壁をさらに含み、前記少なくとも１つの取り付け部材は該端壁に配置され、該端壁は、前記枢動軸を介して前記接続壁に枢結され、
前記取り付け装置は、前記端壁に実質的に垂直に接続される延在壁をさらに含み、前記延在壁及び前記接続壁は、互いに対応する第１の構造及び第２の構造をそれぞれ備え、
前記取り付け装置及び前記接続壁がロック状態にある場合、前記第１の構造及び前記第２の構造は互いに接続され、
前記取り付け装置及び前記接続壁がロック解除状態にある場合、前記第１の構造及び前記第２の構造は互いに接続されていない、請求項１に記載のブラケット機構。
【請求項３】
前記接続壁及び前記取り付け装置のうちの少なくとも一方は制限部を有し、
前記取り付け装置及び前記接続壁が互いに対してロック解除状態にある場合、前記取り付け装置及び前記接続壁は、前記制限部を介してロック解除状態で保持され、
前記接続壁は締結部材を備え、前記取り付け装置及び前記接続壁がロック状態にある場合、該締結部材は前記少なくとも１つの取り付け部材に隣接し、前記取り付け装置及び前記接続壁がロック解除状態にある場合、該締結部材は、前記少なくとも１つの取り付け部材から離れている、請求項１に記載のブラケット機構。
【請求項４】
長手方向長さを有する接続壁と
少なくとも１つの取り付け部材を含む取り付け装置と、
前記長手方向長さの方向と実質的に同じ方向に配置される枢動軸と、
を含むブラケット機構であって、
前記接続壁及び前記取り付け装置は、前記枢動軸を介して互いに枢結される、ブラケット機構。
【請求項５】
前記接続壁はスライドレールに配置され、
前記取り付け装置は端壁をさらに含み、前記少なくとも１つの取り付け部材は該端壁に配置され、該端壁は、前記枢動軸を介して前記接続壁に枢結され、
前記取り付け装置は、前記端壁に実質的に垂直に接続される延在壁をさらに含み、該延在壁及び前記接続壁は、互いに対応する第１の構造及び第２の構造をそれぞれ備え、
前記取り付け装置及び前記接続壁が、互いに対して回転されて閉じられると、前記第１の構造及び前記第２の構造は互いに接続され、
前記取り付け装置及び前記接続壁が、互いに対して回転されて開けられると、前記第１の構造及び前記第２の構造は互いに接続されていない、請求項４に記載のブラケット機構。
【請求項６】
第１のレールと、
前記第１のレールの第１の端部に隣接して配置される第１のブラケット機構と、
前記第１の端部から離れた前記第１のレールの第２の端部に隣接して配置される第２のブラケット機構と、
を含むスライドレールアセンブリであって、
前記第１のブラケット機構は、伸長レールを介して前記第１のレールに対して長手方向に可動であり、
前記第１のブラケット機構は、前記伸長レールに配置される接続壁と、取り付け装置とを含み、該取り付け装置及び該接続壁は、ロック状態及びロック解除状態のうちの一方になるように互いに対して動かすことができ、
前記接続壁は長手方向長さを有し、前記第１のブラケット機構は枢動軸をさらに含み、該枢動軸は、前記長手方向長さの方向と実質的に同じ方向に配置され、
前記接続壁及び前記取り付け装置は、前記枢動軸を介して互いに対して枢結される、スライドレールアセンブリ。
【請求項７】
前記取り付け装置は、端壁と、該端壁に配置される少なくとも１つの取り付け部材とを含み、該端壁は、前記枢動軸を介して前記接続壁に枢結され、
前記取り付け装置は、前記端壁に実質的に垂直に接続される延在壁をさらに含み、該延在壁及び前記接続壁は、互いに対応する第１の構造及び第２の構造をそれぞれ備え、
前記取り付け装置及び前記接続壁がロック状態にある場合、前記第１の構造及び前記第２の構造は互いに接続されておらず、
前記取り付け装置及び前記接続壁がロック解除状態にある場合、前記第１の構造及び前記第２の構造は互いに接続されず、
前記第１のブラケット機構の少なくとも１つの取り付け部材は、前記第１のレールを第１のポストに取り付けるように構成され、前記第２のブラケット機構は、前記第１のレールを第２のポストに取り付けるように構成された少なくとも１つの接続部材を含み、
前記スライドレールアセンブリは、前記第１のレールに対して長手方向に可動な第２のレールをさらに含み、該第２のレール及び前記伸長レールはそれぞれ前記第１のレールの両側に位置する、請求項６に記載のスライドレールアセンブリ。
【請求項８】
前記接続壁及び前記取り付け装置のうちの少なくとも一方は制限部を有し、
前記取り付け装置及び前記接続壁が互いに対してロック解除状態にある場合、前記取り付け装置及び前記接続壁は、前記制限部を介してロック解除状態で保持され、
前記接続壁及び前記取り付け装置のうちの一方は締結部材を備え、
前記取り付け装置及び前記接続壁がロック状態にある場合、前記締結部材は、前記接続壁及び前記取り付け装置のうちの他方に隣接し、
前記取り付け装置及び前記接続壁がロック解除状態にある場合、前記締結部材は、前記接続壁及び前記取り付け装置のうちの他方から離れている、請求項６に記載のスライドレールアセンブリ。
【発明の詳細な説明】
【技術分野】
【０００１】
本発明はスライドレールアセンブリに関し、より具体的には、ブラケットを有するスライドレールアセンブリに関する。
【背景技術】
【０００２】
特許文献１にはスライドレール機構が開示されている。スライドレール機構は、レール部材、第１の支持フレーム、第２の支持フレーム、ブラケット及びレール部材と第１の支持フレームとに可動に取り付けられる補強部材を含む。第２の支持フレームがブラケットに対して第１の位置に位置している場合、締結部材は、少なくとも１つの取り付け部材に対して第１の状態（例えば、ロック状態）にあるように構成されている。第２の支持フレームがブラケットに対して第２の位置に位置している場合、締結部材は、少なくとも１つの取り付け部材に対して第１の状態から第２の状態（例えば、ロック解除状態）に切り替わる。第２の支持フレームが第１の位置している場合、第２の支持フレームは、弾性部材の第１の係合部を介してブラケットの第２の係合部と係合し、第１の係合部は第２の係合部のブロック壁に対応する。これにより、第２の支持フレームを、第１のブラケットに対して第１の位置で保持できる。
【０００３】
しかしながら、特許文献１に開示されたスライドレール機構はより複雑な構造を有する。そのため、ユーザーがスライドレール機構をラックに取り付ける場合、そのような構成では直感的に操作できない。
【０００４】
特許文献２には、クランプ機構が組み込まれた、道具が不要なラックレールシステムが開示されている。ラックレールシステムは、レールアセンブリ、レールアセンブリに配置されるフランジ及びクランプを含む。フランジはレールアセンブリから延びるように構成され、少なくとも１つのピンを備える。そのため、レールアセンブリは、少なくとも１つのピンを有するものとみなすことができる。他方、クランプはフランジに枢結され、クランプは前部、後部及び前部と後部とに接続された中間部を含み、Ｕ字状の断面を形成する。クランプがフランジに対して閉じられている場合、クランプの突起がフランジの開口（又は凹部）と係合し、クランプがフランジに対して閉じた状態で保持される。
【０００５】
全体として、特許文献２に開示された少なくとも1つのピンは、レールアセンブリから延びるフランジに配置されている(レールアセンブリは、少なくとも１つのピンを有するとみなすことができる)。そのため、レールアセンブリは、少なくとも１つのピンをポストの孔に挿入することを通じてポストに取り付けることができる。しかしながら、クランプがフランジに対して閉じられるように手動で操作してレールアセンブリのポストへの取り付けを完了するために、ユーザーはポストの近くの位置にさらに移動しなければならない。そのため、そのような構成は、ユーザーにとって操作上で十分便利なものではない。
【０００６】
特許文献３にはラックレールアセンブリが開示されている。レールアセンブリは取り付けブラケットを含む。取り付けブラケットは、位置合わせプレート、リベットを介して位置合わせプレートに固定取り付けされるバックアッププレート及び位置合わせプレートとバックアッププレートとの間に挟まれるレールのフランジを含む。少なくとも１つのピンが、位置合わせプレート、バックアッププレート及びレールのフランジを貫通する。少なくとも１つのピンは、レールアセンブリをラックに取り付けることができるように、ラックのポストの開口に挿入されるように構成されている。
【０００７】
全体として、特許文献３に開示されている取り付けブラケットのバックアッププレート及び位置合わせプレートは、リベットを介して互いに固定されており、取り付けブラケットをラックに取り付けし且つ固定するために複数の固定部材（例えばネジ）が必要となる。
【先行技術文献】
【特許文献】
【０００８】
【特許文献１】米国特許第１０３０６９８３号明細書
【特許文献２】米国特許第７７６２４１１号明細書
【特許文献３】米国特許第６６２２８７３号明細書
【発明の概要】
【発明が解決しようとする課題】
【０００９】
特許文献１〜３には、スライドレールブラケットの関連技術が開示されている。しかしながら、異なる市場要求のために、従来のスライドレール及び／又はブラケットとは異なる様々な製品を開発して、業界の発展のために市場でより多くの選択肢を提供することが重要である。
【００１０】
本発明は、ブラケット機構と、該ブラケット機構を有するスライドレールアセンブリとを提供する。
【課題を解決するための手段】
【００１１】
本発明の一実施形態によれば、ブラケット機構は、接続壁と、取り付け装置とを含む。取り付け装置及び接続壁は、ロック状態及びロック解除状態のうちの一方になるように互いに対して動かすことができる。取り付け装置は、ポストに取り付けられるように構成された少なくとも１つの取り付け部材を含む。取り付け装置及び接続壁がロック状態にある場合、少なくとも１つの取り付け部材は接続壁に隣接して、互いに対して閉じられるようになっている。取り付け装置及び接続壁がロック解除状態にある場合、少なくとも1つの装着部材は前記接続壁から離れて、互いに対して開けられるようになっている。
【００１２】
本は発明の別の実施形態によれば、ブラケット機構は、接続壁と、取り付け装置と、枢動軸とを含む。接続壁は長手方向長さを有する。取り付け装置は少なくとも１つの取り付け部材を含む。枢動軸は長手方向長さの方向と実質的に同じ方向に配置される。接続壁及び前記取り付け装置は、枢動軸を介して互いに枢結される。
【００１３】
本発明の別の実施形態によれば、スライドレールアセンブリは、第１のレールと、第１のブラケット機構と、第２のブラケット機構とを含む。第１のブラケット機構は１のレールの第１の端部に隣接して配置される。第２のブラケット機構は１の端部から離れた前記第１のレールの第２の端部に隣接して配置される。第１のブラケット機構は、伸長レールを介して第１のレールに対して長手方向に可動である。第１のブラケット機構は接続壁と取り付け装置とを含む。接続壁は伸長レールに配置される。取り付け装置及び接続壁は、ロック状態及びロック解除状態のうちに一方になるように互いに対して動かすことができる。
【００１４】
様々な図面に図示する下記の好ましい実施形態の詳細な説明を読み終えた後、本発明の上記の目的及び他の目的が当業者に間違いなく明らかになる。
【図面の簡単な説明】
【００１５】
【図１】図１は、本発明の一実施形態に係るスライドレールアセンブリを示す図である。
【図２】図２は、本発明の一実施形態に係るスライドレールアセンブリの分解図である。
【図３】図３は、本発明の一実施形態に係る、第１のブラケット機構の取り付け装置を示す図である。
【図４】図４は、本発明の一実施形態に係る、第１のブラケット機構及び第２のブラケット機構を介してラックに取り付けられたスライドレールアセンブリを示す図である。
【図５】図５は、本発明の一実施形態に係る、ラックの第１のポスト及び第２のポストに取り付けられる前のスライドレールアセンブリの第１のブラケット機構及び第２のブラケット機構を示す図である。
【図６】図６は、本発明の一実施形態に係る、第１のブラケット機構の少なくとも１つの取り付け部材が第１のポストに挿入されているのに対して、第２のブラケット機構は第２のポストに取り付けられていない状態で、スライドレールアセンブリの第１のブラケット機構がロック解除状態にあることを示す図である。
【図７】図７は、本発明の一実施形態に係る、第１のポストにロックするためにスライドレールアセンブリの第１のブラケット機構がロック状態にあるのに対して、第２のブラケット機構は第２のポストに取り付けられていない状態を示す図である。
【図８】図８は、本発明の一実施形態に係る、ラックの第１のポスト及び第２のポストに取り付けられたスライドレールアセンブリの第１のブラケット機構及び第２のブラケット機構を示す図である。
【図９】図９は、本発明の一実施形態に係る、ロック解除状態にある第１のブラケット機構を示す図である。
【図１０】図１０は、本発明の一実施形態に係る、ロック状態にある第１のブラケット機構を示す図である。
【発明を実施するための形態】
【００１６】
図１及び図２に示すように、本発明の一実施形態によれば、スライドレールアセンブリ２０は、第１のレール２２、第１のブラケット機構２４及び第２のブラケット機構２６を含む。
【００１７】
第１のブラケット機構２４は、第１のレール２２の第１の端部２２ａに隣接して配置され、第２のブラケット機構２６は、第１の端部２２ａから離れた第１のレール２２の第２の端部２２ｂに隣接して配置される。
【００１８】
第１のブラケット機構２４は、伸長レール２８を介して第１のレール２２に対して長手方向に可動であることが好ましい。伸長レール２８は、第１のレール２２の第１の側に位置する。スライドレールアセンブリ２０は、第１の側と反対の第１のレール２２の第２の側に位置する第２のレール３０をさらに含む。第２のレール３０は、第１のレール２２に対して長手方向に可動である。
【００１９】
第１のレール２２の第１の側には補強部材３２が設けられることが好ましい。補強部材３２は、第１のレール２２の構造強度を改善するために、第１のレール２２を補強するように構成されている。さらに、補強部材３２は第１のレール２２に固定接続されて、第１のレール２２の一部とみなされる。補強部材３２は通路３３を有する。伸長レール２８は、補強部材３２の通路３３を介して第１のレール２２に対して引っ込め可能であり且つ可動である。補強部材３２は、通路３３内に配置される第１の制限構造Ｂ１を有し、伸長レール２８は、伸長レール２８を限られた範囲内で補強部材３２に対して動かせるように第１の制限構造Ｂ１と相互作用するように構成された第２の制限構造Ｂ２を有する。第１の制限構造Ｂ１及び第２の制限構造Ｂ２は、突起及び可撓性アームの組み合わせであり得るが、本発明はそのような構成に限定されない。
【００２０】
第１のブラケット機構２４は、接続壁２９及び取り付け装置３４を含む。
【００２１】
接続壁２９は伸長レール２８に配置され、補強部材３２の通路３３の外に位置する。本実施形態では、接続壁２９は伸長レール２８（伸長レール２８はスライドレールとみなすことができる)に固定接続されて伸長レール２８の一部と見ることができる。他方、取り付け装置３４と接続壁２９とは、互いに可動に接続される。取り付け装置３４及び接続壁２９は、互いに枢結されることが好ましい。例えば、接続壁２９（又は伸長レール２８）は長手方向長さＬを有し、第１のブラケット機構２４は枢動軸３６をさらに含む。枢動軸３６は、長手方向長さＬの方向と実質的に同一の方向（すなわち、枢動軸３６の方向及び長手方向長さＬの方向は、第１のレール２２の長手方向と実質的に同じである）に配置される。接続壁２９及び取り付け装置３４は、枢動軸３６を介して互いに対して枢結される。
【００２２】
取り付け装置３４は、端壁３８と、端壁３８に配置される少なくとも１つの取り付け部材４０とを含み、端壁３８は枢動軸３６を介して接続壁２９に枢結されることが好ましい。
【００２３】
取り付け装置３４は、端壁３８に実質的に垂直に接続される延在壁４２をさらに含み、延在壁４２及び接続壁２９は、互いに対応する第１の構造Ｆ１及び第２の構造Ｆ２をそれぞれ備えることが好ましい（図３も参照されたい）。第１の構造Ｆ１は、挿入、締結又は係合によって第２の構造Ｆ２に接続できる。本実施の形態では、第１の構造Ｆ１及び第２の構造Ｆ２は、突起及び孔（又は凹部）の組み合わせであるが、本発明はこのような構成に限定されない。
【００２４】
取り付け装置３４及び接続壁２９のうちの少なくとも一方は制限部を有することが好ましい。本実施形態では、取り付け装置３４の延在壁４２及び接続壁２９は、互いに対応する第１の制限部Ｌ１及び第２の制限部Ｌ２をそれぞれ備える。第１の制限部Ｌ１は伸長脚であり、第２の制限部Ｌ２は孔（又は凹部）であり得るが、本発明はこのような構成に限定されない。さらに、第１の制限部Ｌ１は第２の制限部Ｌ２を貫通して、取り付け装置３４と接続壁２９との間に所定の開放角度（open  angle）が形成されるように接続壁２９の壁面を支持するか又は当接するように構成されている。
【００２５】
接続壁２９及び取り付け装置３４のうちの一方は締結部材４４を備えることが好ましい。本実施形態では、接続壁２９が締結部材４４を備え、締結部材４４は締結部４４ｃを有する。締結部材４４は接続部４４ａ及び延在部４４ｂをさらに含むことが好ましい。接続部４４ａは、接続壁２９に対して実質的に垂直に屈曲されている。延在部４４ｂは接続部４４ａに対して実質的に垂直に屈曲され、延在部４４ｂは、第１のレール２２の長手方向に実質的に配置されている。締結部４４ｃは、延在部４４ｂに対して屈曲されている。
【００２６】
図４に示すように、スライドレールアセンブリ２０は、第１のブラケット機構２４及び第２のブラケット機構２６を介してラックに取り付けられるように構成されている。具体的には、第１のブラケット機構２４の少なくとも１つの取り付け部材４０は、第１のレール２２を第１のポスト４６ａに取り付けるために、ラックの第１のポスト４６ａの第１の取り付け孔Ｈ１に挿入されるように構成されている。締結部材４４の締結部４４ｃは、スライドレールアセンブリ２０が第１のポスト４６ａから外れるのを防止するために、第１のポスト４６ａが取り付け装置３４の端壁３８と締結部４４ｃとの間に位置するように第１のポスト４６ａ（対象物体）を締結又はロックするように構成されていることが好ましい。他方、第２のブラケット機構２６は、少なくとも１つの接続部材５０を含む（接続部材５０を示す図５も参照されたい）。第２のブラケット機構２６の少なくとも１つの接続部材５０は、第１のレール２２を第２のポスト４６ｂに取り付けるために、ラックの第２のポスト４６ｂの第２の取り付け孔Ｈ２に挿入されるように構成されている。
【００２７】
図５及び図６に示すように、取り付け装置３４及び接続壁２９は、ロック解除状態になるように互いに対して可動である。さらに、取り付け装置３４及び接続壁２９がロック解除状態にある場合、取り付け装置３４と接続壁２９とは、開くように互いに対して回転され、締結部材４４は、取り付け装置３４の少なくとも１つの取り付け部材４０から離れている。一方、第１の構造Ｆ１と第２の構造Ｆ２は、互いに接続されていない(図９も参照)。好ましくは、取り付け装置３４の第１の制限部Ｌ１は、取り付け装置３４及び接続壁２９をロック解除状態で保持するために、接続壁２９の壁面を支持するか又は当接するように構成されていることが好ましい。
【００２８】
加えて、ユーザーがスライドレールアセンブリ２０をラックに取り付けようとする場合、ユーザーは所定の位置（例えば、第２のポスト４６ｂに近い位置）に立って、第１のブラケット機構２４の少なくとも１つの取り付け部材４０が第１のポスト４６ａの第１の取り付け孔Ｈ１に挿入されて、少なくとも１つの取り付け部材４０が第１の取り付け孔Ｈ１の内壁に当接して支持点として作用するように（図６に示すように)、スライドレールアセンブリ２０を第１の方向Ｄ１に沿って第１のポスト４６ａの方に動かすことができる。
【００２９】
図７に示すように、取り付け装置３４及び接続壁２９は、ロック状態になるように互いに対して動かすことができる。例えば、取り付け装置３４及び接続壁２９がロック状態になるようにユーザーに操作された場合、取り付け装置３４及び接続壁２９は、第１のポスト４６ａをロックするために、互いに対して回転されて閉められる。好ましくは、締結部材４４は、締結部材４４の締結部４４ｃが第１のポスト４６ａを締結又はロックできるように取り付け装置３４の少なくとも１つの取り付け部材４０に隣接するように動かされる。その間、第１の構造Ｆ１及び第２の構造Ｆ２は、取り付け装置３４及び接続壁２９をロック状態で保持するために互いに接続されている（図１０も参照されたい）。これにより、第1のブラケット機構２４は第１のポスト４６ａに取り付けられる。
【００３０】
図７及び図８に示すように、第１のブラケット機構２４が第１のポスト４６ａに取り付けられている場合、ユーザーは、同じ位置（例えば、第２のポスト４６ｂに近い位置）に立って、第２のブラケット機構２６を第２のポスト４６ｂに取り付けるために第２のブラケット機構２６の少なくとも１つの接続部材５０を第２のポスト４６ｂの第２の取り付け孔Ｈ２に挿入(図８に示すように)できるように、第２のブラケット機構２６を第２の方向Ｄ２に沿って（図7に示すように)第２のポスト４６ｂに方に動かすことができる。
【００３１】
さらに、ユーザーがスライドレールアセンブリ２０をラックから取り外す場合、操作手順は図８、図７、図６及び図５の順番に従うことができる。簡略化のために、さらなる説明を省略する。
【００３２】
図９に示すように、取り付け装置３４及び接続壁２９が互いに対してロック解除状態にある場合、少なくとも１つの取り付け部材４０は接続壁２９から離れて、互いに対して開くことができるようになっており（opened  relative  to  each  other）、第１の構造Ｆ１及び第２の構造Ｆ２は互いに接続されていない。
【００３３】
図１０に示すように、取り付け装置３４及び接続壁２９がロック状態にある場合、少なくとも１つの取り付け部材４０は接続壁２９に隣接して互いに対して閉じられるようになっており（closed  relative  to  each  other）、第１の構造Ｆ１及び第２の構造Ｆ２は、取り付け装置３４及び接続壁２９をロック状態で保持するために互いに接続される。
【００３４】
したがって、本発明の実施形態に係るスライドレールアセンブリ及びそのブラケット機構は、以下のように特徴付けられる。
【００３５】
１）取り付け装置３４及び接続壁２９は、ロック状態又はロック解除状態になるように互いに対して可動である。取り付け装置３４及び接続壁２９がロック解除状態にある場合、少なくとも１つの取り付け部材４０は、取り付け装置３４及び接続壁２９を互いに対して開くことができるように接続壁２９から離れており、取り付け装置３４及び接続壁２９がロック状態にある場合、少なくとも１つの取り付け部材４０は、取り付け装置３４及び接続壁２９が互いに対して閉められるように接続壁２９に隣接している。
【００３６】
２）枢動軸３６は、接続壁２９の長手方向（又はスライドレールアセンブリ２０のスライドレールの長手方向）と実質的に同一の方向に配置され、接続壁２９及び取り付け装置３４は、枢動軸３６を介して互いに対して枢結される。
【００３７】
３）少なくとも１つの取り付け部材４０は、取り付け装置３４に配置される。したがって、取り付け装置３４及び接続壁２９がロック状態にあり、少なくとも１つの取り付け部材４０が支持点として作用するように第１のポスト４６ａに予め取り付けられている場合、ユーザーは、スライドレールアセンブリ２０を第１のポスト４６ａに取り付けるために、接続壁２９を直観的に操作して取り付け装置３４に対して回転させてロック状態にすることができる。その後、ユーザーは、第２のブラケット機構２６を第２のポスト４６ｂに取り付けることができる。全体として、第１のブラケット機構２４は、ユーザーが同じ位置に立ってスライドレールアセンブリ２０を第１のポスト４６ａ及び第２のポスト４６ｂに容易に取り付けることができ、いわゆる一人での取り付け取り外し作業を完了できるようにするために特定の構成を有する。
【００３８】
当業者であれば、本発明の教示を維持しながら多くの変更及び改良が装置及び方法に加えられ得ることに容易に気付く。従って、上記の開示は、添付の請求項の範囲によってのみ限定されると解釈すべきである。
【符号の説明】
【００３９】
２０  スライドレールアセンブリ
２２  第１のレール
２４  第１のブラケット機構
２６  第２のブラケット機構
２８  伸長レール
２９  接続壁
３０  第２のレール
３２  補強部材
３４  取り付け装置
３６  枢動軸
３８  端壁
４０  少なくとも１つの取り付け部材
４２  延在壁
４４  締結部材
５０  少なくとも１つの接続部材
Ｌ１  第１の制限部
Ｌ２  第２の制限部
Ｆ１  第１の構造
Ｆ２  第２の構造
【図１】
0006964158.tif 000002
【図２】
0006964158.tif 000003
【図３】
0006964158.tif 000004
【図４】
0006964158.tif 000005
【図５】
0006964158.tif 000006
【図６】
0006964158.tif 000007
【図７】
0006964158.tif 000008
【図８】
0006964158.tif 000009
【図９】
0006964158.tif 000010
【図１０】
0006964158.tif 000011